(57)【要約】【課題】作業者の衣服などがフィードチェンと挟扼杆に挟み込まれそうになった場合に、フィードチェンと挟扼杆による挟扼作用を緊急解除する。【解決手段】脱穀穀稈供給用のフィードチェン（８）と該フィードチェン（８）側に付勢された挟扼杆（９）を有する脱穀装置において、挟扼杆（９）の搬送始端側の一部または全部をフィードチェン（８）に対して離間可能な構成とし、挟扼杆（９）の搬送始端近傍に設けた挟扼解除手段（２２）の解除操作に連動して、挟扼杆（９）の搬送始端側の一部または全部がフィードチェン（８）から離間する構成とする。即ち、挟扼杆（９）をフィードチェン（８）との挟扼作用位置に保持する屈折リンク（２０）を設け、挟扼解除手段（２２）を解除操作することで屈折リンク（２０）が屈折して挟扼杆（９）がフィードチェン（８）から離間する構成とする。【選択図】図３
2012205550.tif 000002
【特許請求の範囲】
【請求項１】
脱穀穀稈供給用のフィードチェン（８）と該フィードチェン（８）側に付勢された挟扼杆（９）を有する脱穀装置において、前記挟扼杆（９）の搬送始端側の一部または全部をフィードチェン（８）に対して離間可能な構成とし、挟扼杆（９）の搬送始端近傍に設けた挟扼解除手段（２２）の解除操作に連動して、該挟扼杆（９）の搬送始端側の一部または全部がフィードチェン（８）から離間する構成としたことを特徴とするコンバインの脱穀装置。
【請求項２】
前記挟扼杆（９）をフィードチェン（８）との挟扼作用位置に保持する屈折リンク（２０）を設け、前記挟扼解除手段（２２）を解除操作することで屈折リンク（２０）が屈折して挟扼杆（９）がフィードチェン（８）から離間する構成としたことを特徴とする請求項１記載のコンバインの脱穀装置。
【請求項３】
前記屈折リンク（２０）を支点越えさせて伸長状態に維持することで、挟扼杆（９）をフィードチェン（８）との挟扼作用位置に保持し、前記挟扼解除手段（２２）を解除操作することで屈折リンク（２０）の支点越えが解除されて該屈折リンク（２０）が屈折し、挟扼杆（９）がフィードチェン（８）との挟扼作用位置から引き上げられる構成としたことを特徴とする請求項２記載のコンバインの脱穀装置。
【請求項４】
前記屈折リンク（２０）を屈折させる方向へ付勢する引張バネ（１４）を設けたことを特徴とする請求項３記載のコンバインの脱穀装置。
【請求項５】
前記挟扼解除手段（２２）の解除操作に連動してフィードチェン（８）の駆動を停止する構成としたことを特徴とする請求項１〜請求項４のいずれか一項記載のコンバインの脱穀装置。
【発明の詳細な説明】
【技術分野】
【０００１】
本発明は、コンバインの脱穀装置に関する。
【背景技術】
【０００２】
コンバインは、機体の前側下方に設ける刈取装置で圃場に植立した穀稈の株元を刈り取って搬送供給装置で脱穀装置の供給口に供給し、脱穀装置の側部に設けるフィードチェンと挟扼杆で穀稈の株元側を挟持搬送しながら穂先側を脱穀装置に挿入して脱穀装置内の扱胴で脱穀し選別部で選別して収穫する。そして、機体の走行を停止して、手刈りした穀稈を作業者がフィードチェンの先端部に直接供給して手扱ぎ作業を行うが、この手扱ぎ作業中に作業者の衣服などが穀稈と共にフィードチェンと挟扼杆の間に挟み込まれることが起こりうる。
【０００３】
これに対し、特許文献１には、このような手扱ぎ作業中におけるフィードチェンへの挟み込み時に、緊急停止スイッチを押してエンジンの駆動を停止する技術が記載されている。また、特許文献２には、異常挟扼負荷検出手段を設け、異常な挟扼負荷を検出した場合に、フィードチェンの駆動を停止すると共に挟扼杆の挟扼作用を解除する技術が記載されている。
【先行技術文献】
【特許文献】
【０００４】
【特許文献１】特開２０００−４６５２号公報
【特許文献２】特開２００９−１９５１６９号公報
【発明の概要】
【発明が解決しようとする課題】
【０００５】
上記特許文献１のように、緊急時にエンジン駆動を停止する技術では、エンジンを停止してもフィードチェンが慣性力で動いてしまう。また、上記特許文献２のように、異常挟持負荷検出手段を設け、異常な挟扼負荷を検出した場合にフィードチェンの駆動を停止する技術では、穀稈が正常に供給されている状態と作業者の衣服などが挟み込まれている状態とが判定し難く、フィードチェンの駆動停止が遅れる場合が有る。
【課題を解決するための手段】
【０００６】
上記本発明の課題は、次の技術手段により解決される。
請求項１記載の発明は、脱穀穀稈供給用のフィードチェン（８）と該フィードチェン（８）側に付勢された挟扼杆（９）を有する脱穀装置において、前記挟扼杆（９）の搬送始端側の一部または全部をフィードチェン（８）に対して離間可能な構成とし、挟扼杆（９）の搬送始端近傍に設けた挟扼解除手段（２２）の解除操作に連動して、該挟扼杆（９）の搬送始端側の一部または全部がフィードチェン（８）から離間する構成としたことを特徴とするコンバインの脱穀装置とする。
【０００７】
請求項２記載の発明は、前記挟扼杆（９）をフィードチェン（８）との挟扼作用位置に保持する屈折リンク（２０）を設け、前記挟扼解除手段（２２）を解除操作することで屈折リンク（２０）が屈折して挟扼杆（９）がフィードチェン（８）から離間する構成としたことを特徴とする請求項１記載のコンバインの脱穀装置とする。
【０００８】
請求項３記載の発明は、前記屈折リンク（２０）を支点越えさせて伸長状態に維持することで、挟扼杆（９）をフィードチェン（８）との挟扼作用位置に保持し、前記挟扼解除手段（２２）を解除操作することで屈折リンク（２０）の支点越えが解除されて該屈折リンク（２０）が屈折し、挟扼杆（９）がフィードチェン（８）との挟扼作用位置から引き上げられる構成としたことを特徴とする請求項２記載のコンバインの脱穀装置とする。
【０００９】
請求項４記載の発明は、前記屈折リンク（２０）を屈折させる方向へ付勢する引張バネ（１４）を設けたことを特徴とする請求項３記載のコンバインの脱穀装置とする。
請求項５記載の発明は、前記挟扼解除手段（２２）の解除操作に連動してフィードチェン（８）の駆動を停止する構成としたことを特徴とする請求項１〜請求項４のいずれか一項記載のコンバインの脱穀装置とする。
【発明の効果】
【００１０】
請求項１記載の発明によれば、手刈りした穀稈を、作業者が直接、脱穀装置のフィードチェン（８）の搬送始端部に供給する手扱ぎ作業を行っている際に、作業者の衣服などがフィードチェン（８）と挟扼杆（９）との間に挟み込まれようとした場合、挟扼解除手段（２２）を解除操作することで、挟扼杆（９）の搬送始端側の一部または全部をフィードチェン（８）から離間させることができる。
【００１１】
請求項２記載の発明によれば、上記請求項１記載の発明の効果を奏するうえで、屈折リンク（２０）によって、挟扼杆（９）を挟扼作用位置と離間位置とに円滑に切り換えることができる。
【００１２】
請求項３記載の発明によれば、上記請求項２記載の発明の効果を奏するうえに、挟扼解除手段（２２）の解除操作によって、挟扼杆（９）が挟扼作用位置から引き上げられるので、挟扼杆（９）の搬送始端側の一部または全部をフィードチェン（８）から素早く離間させることができる。
【００１３】
請求項４記載の発明によれば、上記請求項３記載の発明の効果を奏するうえに、引張バネ（１４）の付勢力によって挟扼杆（９）を引き上げることで、挟扼杆（９）の搬送始端側の一部または全部をフィードチェン（８）から素早く離間させることができる。
【００１４】
請求項５記載の発明によれば、上記請求項１から請求項４のいずれか一項記載の発明の効果を奏するうえに、挟扼解除手段（２２）の解除操作に連動してフィードチェン（８）の駆動を停止することで、フィードチェン（８）と挟扼杆（９）との間への挟み込み防止効果が高まる。
【図面の簡単な説明】
【００１５】
【図１】コンバイン全体の右側面図である。
【図２】コンバイン全体の正面図である。
【図３】要部の正断面図である。
【図４】要部の正断面図である。
【図５】別実施例のコンバイン全体の右側面図である。
【図６】別実施例の部分正断面図である。
【図７】別実施例のコンバイン全体の部分右側断面図である。
【図８】別実施例のコンバインの部分右側面図である。
【図９】別実施例のコンバイン全体の部分右側断面図である。
【図１０】フィードチェン駆動スプロケットの側断面図である。
【発明を実施するための形態】
【００１６】
以下、本発明の実施形態を、図面に示す実施例を参照しながら説明する。なお、左右とは、機体から前方に向かってに偽側と左側をいう。
このコンバインは、走行車体１に左右一対の走行クローラ２，２を備え、走行車体１上の左側に脱穀装置３を搭載し、走行車体１上の右側に運転席５や操向レバー６等の運転操作部を設け、運転操作部の後部に収穫した穀粒を一時的に貯留するグレンタンク７を走行車体１に搭載し、脱穀装置３と運転操作部の前方に刈取搬送装置４を設けている。
【００１７】
前記刈取搬送装置４で圃場に植生する穀稈の株元を刈り取って、脱穀装置３側へ搬送し、脱穀装置３のフィードチェン８と挟把杆９で穀稈の株元を挟扼して穂先を脱穀装置３内に挿入して後方へ送りながら脱穀する。
【００１８】
フィードチェン８は、脱穀装置３の左側部でその上側が前から後へ駆動され、このフィードチェン８の上側に沿って挟扼杆９を設けている。
挟扼杆９は、挟扼支持台１０から下方に向かって三か所の圧縮バネ１１でフィードチェン８に押し付けられ、挟扼支持台１０の後端が扱胴カバー１７から下方へ設ける支持アームー１５の下端に横軸１６で支持され、前端が屈折リンク２０で支持されている。
【００１９】
屈折リンク２０は、扱胴カバー１７に枢支した上リンク１２と挟扼支持台１０に枢支した下リンク１３をピン２１連結した構成で、引張バネ１４で不安定切換機構にしていて、挟扼杆９を押し下げるように上リンク１２と下リンク１３を伸ばした状態ではストッパ１８，１９で保持され、挟扼支持台１０が上方へ逃げないようにしている。
【００２０】
扱胴カバー１７の側部で前記屈折リンク２０のピン２１の横位置に挟扼解除ボタン（挟扼解除手段）２２を出没するよう設け、挟扼杆９を挟扼位置に保持する状態で、上リンク１２か下リンク１３が挟扼解除ボタン２２に当たって該挟扼解除ボタン２２を扱胴カバー１７から側方へ突出させる構成としている。
【００２１】
そして、作業者の袖などがフィードチェン８に引っ掛かって引き込まれそうになった場合に、この作業車が挟扼解除ボタン２２を押し込む。すると、挟扼解除ボタン２２がピン２１の横位置を内側に押して屈折リンク２０が支点越えをして挟扼杆９が上方へ跳ね上がり、フィードチェン８との間隔を広げてフィードチェン８の挟扼による送り作用が働かなくなり、袖をフィードチェン８から引き離すことができる。
【００２２】
危険を回避して、再び脱穀作業を開始する場合には、内側に折れ曲がった屈折リンク２０を伸ばすようにすることで簡単に元の挟扼作用位置にすることが出来る。
なお、挟扼解除ボタン２２を押すことで、コンバインのエンジンを停止したり、フィードチェン８の駆動経路に設けるクラッチを切りにしたりして、フィードチェン８の駆動を停止するようにすれば、上記のような危険時により安全に危険回避を行えるようになる。
【００２３】
また、エンジン停止ボタン２４を前記挟扼解除ボタン２２とは別に設ける構成にする場合は、図５乃至図７に示す如く、フィードチェン８の側部を覆うチェンカバー２３の前端近くで脱穀装置３の扱胴２６の最前扱ぎ刃２６ａより前に設ける絞り加工の孔２３ａに挿入してカバー面から突出しないように設ける。このエンジン停止ボタン２４は、チェンカバー２３のオープン用取付軸２５の近くでチェーンレール支持フレームに取り付けると、孔２３ａを大きくしなくてもチェンカバー２３を側方へ開ける。
【００２４】
また、エンジン停止ボタン２３を前後方向に長いスイッチとして、作業者の体勢が崩れていても押せるようにすると良い。
さらに、エンジン停止ボタン２３を扱胴カバー１７の前面側に設けることも良い。
【００２５】
図８に示す実施例は、挟扼杆９を短い分割挟扼杆９ａ，９ｂ，９ｃ，…をピンで連結し、最先端の分割挟扼杆９ａを油圧シリンダ２８でフィードチェン８側に押し付け、他の分割挟扼杆９ｂ，９ｃ，…をロッド２７ａと圧縮バネ２７ｂでフィードチェン８側に押し付けた構成で、扱胴カバー１７に設ける挟扼解除ボタン２２を押すと、油圧シリンダ２８が作動して最先端の分割挟扼杆９ａを引き上げてフィードチェン８との間隔を広げて入り込んだ衣服等を引き出せるようにしている。なお、油圧シリンダ２８に代えて電動モータで分割挟扼杆９ａを昇降する構成でも良い。この構成は、穀稈の多少によって分割挟扼杆９ａの挟扼圧力を調整して穀稈の引継を良く出来る効果もある。
【００２６】
図９に示す実施例は、フィードチェン８を受けてガイドする一部チェーンレール２９ａを前枢支軸２９ｂと圧縮バネ２９ｃで支持し、挟扼解除ボタン２２を押すと、電動モータ３０でワイヤ３２を引いて一部チェーンレール２９ａを下方へ引き下げると共に、フィードチェン８のテンションスプロケット３１をリンク３３で切り方向へ移動して、フィードチェン８の駆動を停止し、フィードチェン８を緩めて挟扼杆９との間隔を広げて挟扼出来ないようにする。
【００２７】
図１０に示す実施例は、フィードチェン８を駆動する駆動スプロケット３４にブレーキディスク３５を一体的に設け、このブレーキディスク３５をフィードチェン８と対称位置でブレーキパッド３７ａ，３７ｂによって挟み込むことで、挟扼解除ボタン２２を押した際にフィードチェン８の移動を直ちに停止するようにしている。
【００２８】
以上のフィードチェン８の巻き込み危機回避方法以外に、次の構成にすることも考えられる。
扱胴カバー１７を前後方向の枢支軸で左右に分割して、油圧シリンダで左サイド扱胴カバー１７ａを上方へ回動可能に構成し、前記のエンジン停止ボタン２４を押すと左サイド扱胴カバー１７ａが挟扼杆９と共に上方へ跳ね上がってフィードチェン８の上方を広く開放するようにしても良い。
【００２９】
また、挟扼杆９を扱胴カバー１７の上面或いは前面から油圧シリンダで支持し、前記のエンジン停止ボタン２４を押すと挟扼杆９が上方引き上げられてフィードチェン８の上方を開放するようにしても良い。
【００３０】
また、扱胴カバー１７と扱胴２６の前端で扱ぎ刃の無い部分にエアーバッグを設け、前記のエンジン停止ボタン２４を押すとこのエアーバッグが作動して扱胴２６の回転を瞬間的に停止させるようにすることも出来る。
【符号の説明】
【００３１】
３  脱穀装置
８  フィードチェン
９  挟扼杆
２０  屈折リンク
２２  挟扼解除ボタン（挟扼解除手段）
【図１】
2012205550.tif 000003
【図２】
2012205550.tif 000004
【図３】
2012205550.tif 000005
【図４】
2012205550.tif 000006
【図５】
2012205550.tif 000007
【図６】
2012205550.tif 000008
【図７】
2012205550.tif 000009
【図８】
2012205550.tif 000010
【図９】
2012205550.tif 000011
【図１０】
2012205550.tif 000012